(57)【要約】      （修正有）【課題】美容用アトマイザーを提供することを課題とする。【解決手段】筐体内に美容液を格納するためのカップ型容器２と、カップ型容器２と連接する噴射機構と、噴射機構と連接するエアーチューブ４が設けられ、美容用アトマイザーは摺動可能なボダンとシフトフォーク６とを更に有し、噴射機構が柄部３１と噴射ニードル３２と噴射ノズルとばねとロックナットとエンドキャップナット３６とシフトブロック３７とを有し、柄部３１の両端が貫通し、噴射ノズルが柄部３１の一端と連接し、エンドキャップナット３６が柄部３１の他端と連接し、噴射ニードル３２が柄部３１に設けられ、且つ噴射ニードル３２の一端がエンドキャップナット３６から突き抜け、筐体に吐出口を設け、噴射ノズルが噴出した液体は吐出口から噴出する。【選択図】図２
2018011929.tif 000002
【特許請求の範囲】
【請求項１】
美容液を格納するためのカップ型容器と、前記カップ型容器と連接する噴射機構と、前記噴射機構と連接するエアーチューブと、がその中に設けられている筐体を有する美容用アトマイザーであって、
摺動可能なボダンとシフトフォークとを更に有し、前記噴射機構が柄部と噴射ニードルと噴射ノズルとばねとロックナットとエンドキャップナットとシフトブロックとを有し、前記柄部の両端が貫通し、前記噴射ノズルが前記柄部の一端と連接し、前記エンドキャップナットが前記柄部の他端と連接し、前記噴射ニードルが前記柄部に設けられ、且つ前記噴射ニードルの一端が前記エンドキャップナットを突き抜け、前記ロックナットと前記ばねは各々前記噴射ニードルに設けられ、且つ前記ばねが前記ロックナットと前記エンドキャップナットの間に位置し、前記シフトブロックが前記噴射ニードルと連接し、前記シフトフォークの一端が前記筐体とヒンジ連結し、他端が前記シフトブロックと接触し、前記押しボタンが前記シフトフォークと接触し、前記柄部の両側に各々給液孔と吸気孔を設け、前記給液孔が前記カップ型容器と連接し、前記吸気孔が前記エアーチューブと連接し、前記筐体に吐出口を設け、前記噴射ノズルが噴出した液体は前記吐出口から噴出する、
ことを特徴とする美容用アトマイザー。
【請求項２】
前記押しボタンは、押しボタンプレートと固定板とスライドとを有し、前記押しボタンと前記スライドとが連接されて一体構造となり、前記固定板が前記押しボタンプレートと前記スライドの間に位置し、前記筐体に摺動溝が設けられ、前記押しボタンプレートが前記摺動溝に設けられる、
ことを特徴とする請求項1に記載の美容用アトマイザー。
【請求項３】
前記固定板の前記スライド側の表面に第１歯状溝を設け、前記スライドの前記固定板側の表面に前記第１歯状溝とマッチする第２歯状溝を設け、前記固定板と前記スライドとが密着した時に、前記第１歯状溝が前記第２歯状溝と噛合する、
ことを特徴とする請求項２に記載の美容用アトマイザー。
【請求項４】
前記押しボタンプレートの表面の両端に各々弾性部材を設け、前記押しボタンプレートが２本の弾性部材を通じて前記固定板と接触する、
ことを特徴とする請求項２に記載の美容用アトマイザー。
【請求項５】
前記シフトフォークに２本のフォーク脚を設け、前記シフトブロックの中部に貫通孔を設け、前記シフトブロックが貫通孔を通じて前記噴射ニードルに嵌め込まれ、前記噴射ニードルに更にロックネジを設け、前記ロックネジと前記ロックナットで前記シフトブロックを前記噴射ニードルに固定し、前記シフトブロックの両端が前記柄部の両側から延出し、前記２本のフォーク脚が各々前記シフトブロックの両端と接触する、
ことを特徴とする請求項１に記載の美容用アトマイザー。
【請求項６】
前記柄部の空洞部には、液体室と摺動室が設けられ、前記液体室と前記摺動室の間にＯリングを設け、前記噴射ニードルが前記Ｏリングに嵌め込まれる、
ことを特徴とする請求項１に記載の美容用アトマイザー。
【請求項７】
前記給液孔の内壁には、雌ネジ部が設けられ、前記カップ型容器の連接端に雄ネジ部が設けられ、前記カップ型容器が前記連接端を通じて前記柄部と螺接し；前記カップ型容器に注液口が設けられ、前記注液口にカップ型容器用栓が設けられ、前記カップ型容器用栓に逆止弁を設けることを特徴とする請求項１に記載の美容用アトマイザー。
【請求項８】
前記柄部には、エアーバルブが設けられ、前記エアーバルブの一端が前記吸気孔と螺接し、他端が前記エアーチューブと連接する、
ことを特徴とする請求項１に記載の美容用アトマイザー。
【請求項９】
前記噴射ノズルには、噴射ヘッドが設けられ、前記噴射ヘッドに噴射ヘッドジャケットを設け、前記噴射ヘッドジャケットの一端が前記吐出口から突出する、
ことを特徴とする請求項１に記載の美容用アトマイザー。
【請求項１０】
前記筐体は、左側筐体と右側筐体とを有し、前記左側筐体と前記右側筐体とが係着し、前記吐出口が前記左側筐体に設けられ、前記右側筐体が右上部筐体と右下部筐体とを有し、前記右上部筐体が各々前記左側筐体及び前記右下部筐体と可動連結する、
ことを特徴とする請求項１に記載の美容用アトマイザー。
【発明の詳細な説明】
【技術分野】
【０００１】
本発明は、美容ツールの技術分野に関し、特に、美容用アトマイザーに関する。
【背景技術】
【０００２】
現在、人々がリキッドファンデーション、エッセンス及び化粧水等の液体化粧品を使用する時には、手塗りによる方法で顔に塗る。このような塗り方には、以下のいくつかの欠点が存在する。つまり、（１）手で化粧品に接触しなければならず、塗った後に、手を洗わなければならい；（２）手塗りは均一に塗ない欠点が存在するため、化粧品の効果を下げてしまう；（３）手塗りに費やされる時間が長く、塗りの効率が低い。
【発明の概要】
【発明が解決しようとする課題】
【０００３】
そこで、本発明は、上記欠点を解決するために、カップ型容器や噴射機構により、美容液を霧化する方法で顔に噴射することで、従来技術の不足を克服する美容用アトマイザーを提供することを目的とする。
【課題を解決するための手段】
【０００４】
上記目的を達成するため、本発明は筐体を有する美容用アトマイザーを提供するものであり、前記筐体内に美容液を格納するためのカップ型容器と、前記カップ型容器と連接する噴射機構と、前記噴射機構と連接するエアーチューブが設けられ、該美容用アトマイザーは摺動可能なボダンとシフトフォークとを更に有し、前記噴射機構が柄部と噴射ニードルと噴射ノズルとばねとロックナットとエンドキャップナットとシフトブロックとを有し、前記柄部の両端が貫通し、前記噴射ノズルが前記柄部の一端と連接し、前記エンドキャップナットが前記柄部の他端と連接し、前記噴射ニードルが前記柄部に設けられ、且つ前記噴射ニードルの一端が前記エンドキャップナットを突き抜け、前記ロックナットと前記ばねは各々前記噴射ニードルに設けられ、且つ前記ばねが前記ロックナットと前記エンドキャップナットの間に位置し、前記シフトブロックが前記噴射ニードルと連接し、前記シフトフォークの一端が前記筐体とヒンジ連結し、他端が前記シフトブロックと接触し、前記押しボタンが前記シフトフォークと接触し、前記柄部の両側に各々給液孔と吸気孔を設け、前記給液孔が前記カップ型容器と連接し、前記吸気孔が前記エアーチューブと連接し、前記筐体に吐出口を設け、前記噴射ノズルが噴出した液体は前記吐出口から噴出する。
【０００５】
前記押しボタンは、押しボタンプレートと固定板とスライドとを有し、前記押しボタンプレートと前記スライドとが連接されて一体構造となり、前記固定板が前記押しボタンプレートと前記スライドの間に位置し、前記筐体に摺動溝が設けられ、前記押しボタンプレートが前記摺動溝に設けられる。
【０００６】
前記固定板の前記スライド側の表面に第１歯状溝を設け、前記スライドの前記固定板側の表面に前記第１歯状溝とマッチする第２歯状溝を設け、前記固定板と前記スライドとが密着した時に、前記第１歯状溝が前記第２歯状溝と噛合する。
【０００７】
前記押しボタンプレートの表面の両端に各々弾性部材を設け、前記押しボタンプレートが２本の弾性部材を通じて前記固定板と接触する。
【０００８】
前記シフトフォークに２本のフォーク脚を設け、前記シフトブロックの中部に貫通孔を設け、前記シフトブロックが貫通孔を通じて前記噴射ニードルに嵌め込まれ、前記噴射ニードルに更にロックネジを設け、前記ロックネジと前記ロックナットで前記シフトブロックを前記噴射ニードルに固定し、前記シフトブロックの両端が前記柄部の両側から延出し、２本のフォーク脚が各々前記シフトブロックの両端と接触する。
【０００９】
前記柄部の空洞部には、液体室と摺動室が設けられ、前記液体室と摺動室の間にＯリングを設け、前記噴射ニードルが前記Ｏリングに嵌め込まれる。
【００１０】
前記給液孔の内壁には雌ネジ部が設けられ、前記カップ型容器の連接端に雄ネジ部が設けられ、前記カップ型容器が連接端を通じて前記柄部と螺接し、前記カップ型容器に注液口が設けられ、前記注液口にカップ型容器用栓が設けられ、前記カップ型容器用栓に逆止弁を設ける。
【００１１】
前記柄部には、エアーバルブが設けられ、前記エアーバルブの一端が前記吸気孔と螺接し、他端が前記エアーチューブと連接する。
【００１２】
前記噴射ノズルには、噴射ヘッドが設けられ、前記噴射ヘッドに噴射ヘッドジャケットを設け、前記噴射ヘッドジャケットの一端が前記吐出口から突出する。
【００１３】
前記筐体は、左側筐体と右側筐体とを有し、前記左側筐体と前記右側筐体とが係着し、前記吐出口が前記左側筐体に設けられ、前記右側筐体が右上部筐体と右下部筐体とを有し、前記右上部筐体が各々前記左側筐体及び前記右下部筐体と可動連結する。
【発明の効果】
【００１４】
本発明の有益な効果
本発明は押しボタン、カップ型容器、噴射機構及びエアーチューブを設けており、使用時に、エアーチューブがエアーポンプと連接し、押しボタンを摺動すると、押しボタンがシフトフォークによって噴射ニードルを移動させてばね圧力を克服して移動し、噴射ニードルと噴射ノズルの間に隙間を生じさせ、カップ型容器内の美容液が噴射ニードルと噴射ノズルの間で生じた隙間を通じて噴射ノズルに向かって流れ、エアーポンプを起動した後、噴射ノズル箇所の美容液が気流により迅速に分散並びに霧化され、同時に気流を伴って外方へ噴出する。霧化した美容液を均一に顔に噴射することができ、塗り効果も良く、肌によく吸収しやすく、塗り時間を節約できる。本発明は操作が簡単で、塗り効果も良好で、効率が高いという利点を有する。
【図面の簡単な説明】
【００１５】
【図１】本発明の構造を示す模式図である。
【図２】本発明の内部構造を示す模式図である。
【図３】本発明の部分断面図である。
【図４】図２内のＡ部位の拡大図である。
【発明を実施するための形態】
【００１６】
以下、添付図面及び具体的実施形態を組み合わせて、本発明に対し更に詳細な説明を行う。
【００１７】
図１乃至図４に参照されるように、筐体１を有する美容用アトマイザーは、筐体１内に美容液を格納するためのカップ型容器２と、カップ型容器２と連接する噴射機構３と、噴射機構３と連接するエアーチューブ４が設けられ、該美容用アトマイザーは摺動可能なボダン５とシフトフォーク６とを更に有し、噴射機構３が柄部３１と噴射ニードル３２と噴射ノズル３３とばね３４とロックナット３５とエンドキャップナット３６とシフトブロック３７とを有し、柄部３１の両端が貫通し、噴射ノズル３３が柄部３１の一端と連接し、エンドキャップナット３６が柄部３１の他端と連接し、噴射ニードル３２が柄部３１に設けられ、且つ噴射ニードル３２の一端がエンドキャップナット３６を突き抜け、ロックナット３５とばね３４は各々噴射ニードル３２に設けられ、且つばね３４がロックナット３５とエンドキャップナット３６の間に位置し、シフトブロック３７が噴射ニードル３２と連接し、シフトフォーク６の一端が筐体１とヒンジ連結し、他端がシフトブロック３７と接触し、押しボタン５がシフトフォーク６と接触し、柄部３１の両側に各々給液孔３１１と吸気孔３１２を設け、給液孔３１１がカップ型容器２と連接し、吸気孔３１２がエアーチューブ４と連接し、筐体１に吐出口１１を設け、噴射ノズル３３が噴出した液体は吐出口１１から噴出する。
【００１８】
押しボタン５は、押しボタンプレート５１と固定板５２とスライド５３とを有し、押しボタンプレート５１とスライド５３とが連接されて一体構造となり、固定板５２が押しボタンプレート５１とスライド５３の間に位置し、筐体１に摺動溝が設けられ、押しボタンプレート５１が摺動溝に設けられる。図２に示すように、押しボタンプレート５１を押して上方に移動させると、スライド５３が押しボタンプレート５１と一緒に上方に移動してシフトフォーク６を押圧する。
【００１９】
固定板５２は筐体１に固定され動作しないものである。固定板５２は押しボタンプレート５１とスライド５３の間に位置し、押しボタンプレート５１とスライド５３が固定板５２に対してスライドする。固定板の役割は、押しボタンプレート５１とスライド５３をスライド可能に支持する役割を有する。
【００２０】
固定板５２のスライド５３側の表面に第１歯状溝５２１を設け、スライド５３の固定板５２側の表面に第１歯状溝５２１とマッチする第２歯状溝５３１を設け、固定板５２とスライド５３とが密着した時に、第１歯状溝５２１が第２歯状溝５３１と噛合する。
【００２１】
押しボタンプレート５１の表面の両端に各々弾性部材５４を設け、押しボタンプレート５１が２本の弾性部材５４を通じて固定板５２と接触する。押しボタンプレート５１が所定の位置まで摺動した時に、親指を放すと、押しボタンプレート５１が弾性部材５４の作用の下、スライド５３を引っ張ってスライド５３上の第２歯状溝５３１を固定板５２上の第１歯状溝５２１と嵌合させて定点位置決めを実現することで、操作性と快適性を向上できる。
【００２２】
シフトフォーク６に２本のフォーク脚６１を設け、シフトブロック３７の中部に貫通孔を設け、シフトブロック３７が貫通孔を通じて噴射ニードル３２に嵌め込まれ、噴射ニードル３２に更にロックネジ３８を設け、ロックネジ３８とロックナット３５でシフトブロック３７を噴射ニードル３２に固定し、シフトブロック３７の両端が柄部３１の両側から延出し、２本のフォーク脚６１が各々シフトブロック３７の両端と接触する。図２に示すように、シフトフォーク６がスライド５３の押圧を受けて右に移動した時には、シフトブロック３７がロックナット３５を押すことで、噴射ニードル３２を移動させ、噴射ニードル３２が後方に移動する過程において、噴射ニードル３２と噴射ノズル３３の間に隙間が生じ、カップ型容器２内の液体が噴射ニードル３２と噴射ノズル３３の間にある隙間を通じて外方に流れる。
【００２３】
柄部３１の空洞部には、液体室３１３と摺動室３１４が設けられ、液体室３１３と摺動室３１４の間にＯリング７を設け、噴射ニードル３２がＯリング７に嵌め込まれる。
【００２４】
給液孔３１１の内壁には雌ネジ部が設けられ、カップ型容器２の連接端に雄ネジ部が設けられ、カップ型容器２が連接端を通じて柄部３１と螺接し、カップ型容器２に注液口２１が設けられ、注液口２１にカップ型容器用栓８が設けられ、カップ型容器用栓８に逆止弁を設ける。カップ型容器用栓８を抜くと、注液口２１を通じてカップ型容器２内に美容液を添加できる。逆止弁は、漏れ防止機能を持っている。
【００２５】
柄部３１には、エアーバルブ３１５が設けられ、エアーバルブ３１５の一端が吸気孔３１２と螺接し、他端がエアーチューブ４と連接する。
【００２６】
噴射ノズル３３には、噴射ヘッド３３１が設けられ、噴射ヘッド３３１に噴射ヘッドジャケット９を設け、噴射ヘッドジャケット９の一端が吐出口１１から突出する。
【００２７】
筐体１は、左側筐体１２と右側筐体１３とを有し、左側筐体１２と右側筐体１３とが係着し、吐出口１１が左側筐体１２に設けられ、右側筐体１３が右上部筐体１３１と右下部筐体１３２とを有し、右上部筐体１３１が各々左側筐体１２及び右下部筐体１３２と可動連結する。右上部筐体１３１は、単独で外すことができ、右上部筐体１３１を外した後、カップ型容器２を露出させることができ、カップ型容器用栓８を抜くと、注液口２１を通じてカップ型容器２内に美容液を添加できる。このような設計は、利用者が美容液を添加することに便利である。
【００２８】
動作原理：
図２及び図３に示すように、本発明を使用する時には、空気源装置（図示せず）に対しセットする必要がある。エアーチューブ４は空気源装置と接続される。押しボタンプレート５１を上方に押して摺動させることで、押しボタンプレート５１と連接しているスライド５３を摺動させ、スライド５３をシフトフォーク６に当接させてシフトフォーク６を右側に移動させる。シフトフォーク６がシフトブロック３７を押して右側に移動させ、シフトブロック３７がロックナット３５、ロックネジ３８及び噴射ニードル３２を一緒に右側に移動させ、噴射ニードル３２が右側に移動する過程において、噴射ニードル３２と噴射ノズル３３の間に隙間が生じ、カップ型容器２内の液体が噴射ニードル３２と噴射ノズル３３の間にある隙間を通じて外側に流れ、液体が噴射ノズル３３まで流れ込んだ時、ここから通過する気流で迅速に分散並び霧化され、同時に気流に伴って外側に向かって噴き出す。
【００２９】
以上に述べたものは、あくまでも具体的好適な実施例を組み合わせて本発明の技術内容を明らかにするものであって、そのような実施例にのみ限定して狭義に解釈されるべきものではなく、当業者にとって本発明の技術思想から逸脱しない前提において若干の推定又は置換を行うことができるが、均して本発明の保護範囲と見なすべきである。
【符号の説明】
【００３０】
１ 筐体
１１ 吐出口
１２ 左側筐体
１３ 右側筐体
１３１ 右上部筐体
１３２ 右下部筐体
２ カップ型容器
３ 噴射機構
３１ 柄部
３１１ 給液孔
３１２ 吸気孔
３１３ 液体室
３１４ 摺動室
３１５ エアーバルブ
３２ 噴射ニードル
３３ 噴射ノズル
３３１ 噴射ヘッド
３４ ばね
３５ ロックナット
３６ エンドキャップナット
３７ シフトブロック
３８ ロックネジ
４ エアーチューブ
５ 押しボタン
５１ 押しボタンプレート
５２ 固定板
５２１ 第１歯状溝
５３ スライド
５３１ 第２歯状溝
５４ 弾性部材
６ シフトフォーク
６１ フォーク脚
７ Ｏリング
８ カップ型容器用栓
９ 噴射ヘッドジャケット。
【図１】
2018011929.tif 000003
【図２】
2018011929.tif 000004
【図３】
2018011929.tif 000005
【図４】
2018011929.tif 000006